(57)【要約】【課題】余分な工数をかけないで確実な止水性を確保することができ、しかも、圧着後の状態において、止水性能を確かに発揮できる状態になっているかどうかを外から見て容易に確認できるようにする。【解決手段】止水シート（３０）は、該止水シート（３０）の前端（３０ａ）が前記導体圧着部（２１）の前端（２０ａ）よりも前側に位置し、該止水シート（３０）の後端（３０ｂ）が前記被覆圧着部（２２）の後端（２０ｂ）よりも後側に位置し、導体圧着部（２１）と導体露出部（Ｗａｐ）との接続部分の前後が前記止水シート（３０）によって塞がれる。【選択図】図３
2015065148.tif 000002
【特許請求の範囲】
【請求項１】
導体と、前記導体を覆う被覆と、を有する電線と、
相手側端子に電気的に接続されるための電気接続部が前部に形成され、前記電線の端末部に圧着される電線接続部が後部に形成された圧着端子と、
を備え、
前記電線接続部は、前記電線の端末部の被覆が除去されて導体が露出した導体露出部に圧着される導体圧着部と、前記電線の端末部に残された被覆の一部に圧着される被覆圧着部と、を有し、前記導体圧着部が前側に、前記被覆圧着部が後側に形成され、該導体圧着部の前端から該被覆圧着部の後端まで連続する断面Ｕ字状に形成され、
前記電線の端末部に圧着された状態の前記電線接続部が、前記導体露出部の前端よりも前方側から前記被覆の一部の前端よりも後方側までを覆う、
前記圧着端子の前記電線に対する接続構造であって、
前記電線接続部の内面に配置された、前記導体露出部に対応する位置に開口部を有する止水シートをさらに備え、
前記止水シートは、該止水シートの前端が前記導体圧着部の前端よりも前側に位置し、該止水シートの後端が前記被覆圧着部の後端よりも後側に位置し、
前記電線の端末部に圧着された状態の前記電線接続部は、前記止水シートに形成された前記開口部を通して、前記導体圧着部と前記導体露出部とが電気的に接続されると共に、前記導体圧着部と前記導体露出部との接続部分の前後が前記止水シートによって塞がれることを特徴とする圧着端子の電線に対する接続構造。
【請求項２】
前記止水シートが、基材シートの表面に設けられた接着層によって前記電線接続部の内面に貼り付けられていることを特徴とする請求項１に記載の圧着端子の電線に対する接続構造。
【請求項３】
前記止水シートにおける前記電線に接する面には、接着層が設けられていることを特徴とする請求項１または２に記載の圧着端子の電線に対する接続構造。
【発明の詳細な説明】
【技術分野】
【０００１】
本発明は、止水性能を備えた、圧着端子の電線に対する接続構造に関するものである。
【背景技術】
【０００２】
車両の軽量化は燃費向上に大きな影響を与える。二酸化炭素排出量の低減が求められている現在では、ガソリン自動車に比べてワイヤーハーネスが多用される特に電気自動車やハイブリット自動車では、ワイヤーハーネスに、軽量材質のアルミニウムやアルミニウム合金製の電線の使用が好都合となる。ところが、アルミニウムやアルミニウム合金で構成するアルミニウム製の電線は、銅や銅合金で構成する端子に圧着接続された状態で、両者の接触部に水が介在すると、この水が異種金属間で電解液となる。銅製端子とアルミ製導体等の異種の金属は、電解液を介して電気回路ができると、両者の腐食電位の違いのため、よりひ（卑）な電位の金属（例えばアルミ導体）の腐食が促進される。すなわち、ガルバニック腐食が生じる。
【０００３】
そこで、バレル片で圧着する電線導体に対して異種金属で構成しても導電性を確保しながら電食の発生を防止することのできる圧着端子が提案されている（特許文献１参照）。
図９〜図１１に、特許文献１に記載された、従来の圧着端子の電線に対する接続構造の一例を示す。なお、図中の方向については、端子の長手方向（電線の長手方向と一致）の一方側である相手側端子に向かう向きを前方、その反対方向を後方、圧着端子に対して電線を載せる側を上方、その反対方向を下方、前方に向かって端子の幅方向の一方側及び他方側を左側及び右側とする。
【０００４】
図９に示すように、圧着端子１１０は、銅や銅合金で構成された前部に、相手側オス端子に対して接続するためのバネ片１１２を備えたボックス部（電気接続部）を有し、その後部に、導体Ｗａがアルミニウムやアルミニウム合金で構成された電線Ｗの端末部に対して圧着される電線接続部１２０を有している。電線接続部１２０は、前側の位置に、電線Ｗの端末部の被覆Ｗｂが除去されて導体Ｗａが露出した導体露出部Ｗａｐに圧着される導体圧着部１２１を有し、その後側の位置に、電線Ｗの端末部に残された被覆Ｗｂの付いた部分に圧着される被覆圧着部１２２を有している。
【０００５】
導体圧着部１２１及び被覆圧着部１２２は、共通の底板部１２５と、該共通の底板部１２５の左右両側縁から上方に立設し、且つ接続すべき電線Ｗの導体露出部Ｗａｐ及び被覆Ｗｂの付いた部分を包み込むように内側に曲げられることで導体露出部Ｗａｐ及び被覆Ｗｂの付いた部分を底板部１２５の上面に密着した状態で加締める左右一対の共通の加締片１２６、１２７と、を有する。電線接続部１２０は、導体圧着部１２１の前端から被覆圧着部１２２の後端まで連続して有する断面Ｕ字状に形成されている。また、電線接続部１２０は、電線Ｗの端末部に圧着された状態で、導体露出部Ｗａｐの前端Ｗａｐ１よりも前方側から、被覆Ｗｂの付いた部分の前端Ｗｂ１よりも後方側までを、連続して一体的に覆うような長さに構成されている。
【０００６】
そして、圧着端子１１０の電線Ｗに対する接続構造は、図９に示すように、電線接続部１２０の内面に枠状に止水シート１３０を配置した状態で、電線接続部１２０の上に電線Ｗの端末部の導体露出部Ｗａｐが配置される。その上で図１０に示すように、左右一対の加締片１２６、１２７を内側に丸めて加締める。更に、電線接続部１２０の前端にできる開口１２８を、図１１に示すように電線接続部１２０の前端を潰して塞ぐことにより水分の浸入を防止して、圧着端子１１０が異種金属で構成された際の導体Ｗａのガルバニック腐食の発生を防止している。
【先行技術文献】
【特許文献】
【０００７】
【特許文献１】特開２０１３−８０６８２号公報
【発明の概要】
【発明が解決しようとする課題】
【０００８】
ところで、特許文献１に記載された従来の圧着端子の電線に対する接続構造では、電線Ｗの端末部に対して加締片１２６、１２７を内側に丸めて加締めた後に更に、電線接続部１２０の前端を潰して塞ぐ工程が必要である。この工程の分、工数や加工費が増大するという課題があった。また、圧着後の状態で、外から止水シート１３０の有無や組み付け状態を確認できないため、止水性能を保証するための判断が難しいという課題があった。
【０００９】
本発明は、上述した事情に鑑みてなされたものであり、その目的は、余分な工数をかけないで確実な止水性を確保することができ、しかも、圧着後の状態において、止水性能を確かに発揮できる状態になっているかどうかを外から見て容易に確認できるようにした、圧着端子の電線に対する接続構造を提供することにある。
【課題を解決するための手段】
【００１０】
前述した目的を達成するために、本発明に係る圧着端子の電線に対する接続構造は、下記（１）〜（３）を特徴としている。
（１）  導体と、前記導体を覆う被覆と、を有する電線と、
相手側端子に電気的に接続されるための電気接続部が前部に形成され、前記電線の端末部に圧着される電線接続部が後部に形成された圧着端子と、
を備え、
前記電線接続部は、前記電線の端末部の被覆が除去されて導体が露出した導体露出部に圧着される導体圧着部と、前記電線の端末部に残された被覆の一部に圧着される被覆圧着部と、を有し、前記導体圧着部が前側に、前記被覆圧着部が後側に形成され、該導体圧着部の前端から該被覆圧着部の後端まで連続する断面Ｕ字状に形成され、
前記電線の端末部に圧着された状態の前記電線接続部が、前記導体露出部の前端よりも前方側から前記被覆の一部の前端よりも後方側までを覆う、
前記圧着端子の前記電線に対する接続構造であって、
前記電線接続部の内面に配置された、前記導体露出部に対応する位置に開口部を有する止水シートをさらに備え、
前記止水シートは、該止水シートの前端が前記導体圧着部の前端よりも前側に位置し、該止水シートの後端が前記被覆圧着部の後端よりも後側に位置し、
前記電線の端末部に圧着された状態の前記電線接続部は、前記止水シートに形成された前記開口部を通して、前記導体圧着部と前記導体露出部とが電気的に接続されると共に、前記導体圧着部と前記導体露出部との接続部分の前後が前記止水シートによって塞がれること。
（２）  上記（１）の構成の圧着端子の電線に対する接続構造であって、
前記止水シートが、基材シートの表面に設けられた接着層によって前記電線接続部の内面に貼り付けられていること。
（３）  上記（１）または（２）の構成の圧着端子の電線に対する接続構造であって、
前記止水シートにおける前記電線に接する面には、接着層が設けられていること。
【００１１】
上記（１）の構成の圧着端子の電線に対する接続構造によれば、電線の導体露出部が止水シートの開口部を通して端子の導体圧着部に電気的に接続されている部分の前後を、止水シートで完全に塞ぐことができる。このため、端子と電線の電気的な接続性能を確保しながら、確実な止水性能を確保することができる。
これにより、圧着端子が電線の導体に対して異種金属で構成された場合にも、異種金属間に電解液が供給されなくなる。そこで、銅や銅合金製の導体圧着部に圧着した例えばアルミニウムやアルミニウム合金製の電線に生じようとするガルバニック腐食が抑制される。
また、電線接続部の一対の加締片を、電線の端末部を包み込むように内側に丸めて加締めるだけで、止水シートによって導体露出部の前方を塞ぐことができる。このため、加締め工程後に更に、導体露出部の前方に生じる開口を塞ぐための潰し工程を追加する必要がない。その工程が無くなる分、工数や加工費の削減が図れる。また、電線に圧着した後の状態において、電線接続部の前端と後端とから止水シートがはみ出すので、止水シートの組み付けの有無や組み付け状態の異常などを外から見て即座に確認することができる。このため、止水性能の保証の判断を容易に下すことができる。
上記（２）の構成の圧着端子の電線に対する接続構造によれば、止水シートが接着層を介して電線接続部の内面に貼り付けられているので、圧着時に止水シートがずれるおそれがなく、止水信頼性が高まる。
上記（３）の構成の圧着端子の電線に対する接続構造によれば、圧着時に電線がずれるおそれがなく、圧着品質の向上が図れる。
【発明の効果】
【００１２】
本発明の圧着端子の電線に対する接続構造によれば、端子と電線の電気的な接続性能を確保しながら、確実な止水性能を確保することができる。また、加締め工程後に更に、導体露出部の前方に生じる開口を塞ぐための潰し工程を追加する必要がなく、その分、工数や加工費の削減が図れる。また、止水シートの組み付けの有無や組み付け状態の異常などを外から見て即座に確認することができ、止水性能の保証の判断を容易に下すことができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の第１実施形態の圧着端子の電線に対する接続構造を説明する説明図であって、圧着端子の電線接続部に止水シートを配置する様子を示す斜視図である。
【図２】図２は、本発明の第１実施形態の圧着端子の電線に対する接続構造を説明する説明図であって、図１の次の工程として、圧着端子の電線接続部に止水シートの上から電線の端末部を配置する様子を示す斜視図である。
【図３】図３は、本発明の第１実施形態の圧着端子の電線に対する接続構造を説明する説明図であって、圧着端子の電線接続部に止水シートの上から電線の端末部を配置するに際し、導体露出部をどの位置に配置するかを示す斜視図である。
【図４】図４は、本発明の第１実施形態の圧着端子の電線の対する接続構造の外観斜視図である。
【図５】図５は、本発明の第２実施形態の圧着端子の電線に対する接続構造を説明する説明図であって、圧着端子の電線接続部に止水シートの上から電線の端末部を配置する様子を示す斜視図である。
【図６】図６は、本発明の第３実施形態の圧着端子の電線に対する接続構造を説明する説明図であって、圧着端子の電線接続部に止水シートを配置する様子を示す斜視図である。
【図７】図７は、図６に示した止水シートの構造を説明する断面図であって、（ａ）は止水シートの概略断面図、（ｂ）は（ａ）のＡ部における拡大断面図、（ｃ）は（ｂ）における下側の剥離シートを剥がした状態を示す拡大断面図である。
【図８】図８は、本発明の第３実施形態の圧着端子の電線に対する接続構造を説明する説明図であって、圧着端子の電線接続部に止水シートの上から電線の端末部を配置する様子を示す平面図である。
【図９】図９は、従来例の圧着端子の電線に対する接続構造を説明する説明図であって、圧着端子の電線接続部に止水シートを配置し、その上で圧着端子の電線接続部に電線の端末部を配置する様子を示す斜視図である。
【図１０】図１０は、従来例の圧着端子の電線接続部を電線に対して加締めた状態を示す斜視図である。
【図１１】図１１は、図１０の工程の次に電線接続部の前端を潰して接続構造を完成させた状態を示す斜視図である。
【発明を実施するための形態】
【００１５】
以下、本発明の実施形態を図面を参照して説明する。
図１は、本発明の第１実施形態の圧着端子の電線に対する接続構造を説明する説明図であって、圧着端子の電線接続部に止水シートを配置する様子を示す斜視図である。図２は、本発明の第１実施形態の圧着端子の電線に対する接続構造を説明する説明図であって、図１の次の工程として、圧着端子の電線接続部に止水シートの上から電線の端末部を配置する様子を示す斜視図である。図３は、本発明の第１実施形態の圧着端子の電線に対する接続構造を説明する説明図であって、圧着端子の電線接続部に止水シートの上から電線の端末部を配置するに際し、導体露出部をどの位置に配置するかを示す斜視図である。図４は、本発明の第１実施形態の圧着端子の電線の対する接続構造の外観斜視図である。
【００１６】
なお、図中の方向については、端子の長手方向（電線の長手方向と一致）の一方側である相手側端子に向かう向きを前方、その反対方向を後方、圧着端子に対して電線を載せる側を上方、その反対方向を下方、前方に向かって端子の幅方向の一方側及び他方側を左側及び右側とする。
【００１７】
図１及び図２に示すように、本第１実施形態の導体Ｗａがアルミニウムやアルミニウム合金で構成された電線Ｗに対する接続構造で使用する圧着端子１０は、例えば銅や銅合金等からなる金属板をプレス（打ち抜き加工）して形成されており、前部に相手側オス端子に電気的に接続されるためのボックス部（電気接続部）１１を有したメス端子である。ボックス部１１は、相手側オス端子を挟持するバネ片１２を内部に備えている。圧着端子１０は、ボックス部１１の後部に、電線の端末部に圧着される電線接続部２０が形成されている。この圧着端子１０は、キャリア８０に連鎖状に連なった状態でプレス成形されている。
【００１８】
電線接続部２０は、前側の位置に、電線Ｗの端末部の被覆Ｗｂが除去されて導体Ｗａが露出した導体露出部Ｗａｐに圧着される導体圧着部２１を有し、その後側の位置に、繋ぎ部２３を介して、電線Ｗの端末部に残された被覆Ｗｂの付いた部分に圧着される被覆圧着部２２を有している。繋ぎ部２３は、導体圧着部２１の後側上端と被覆圧着部２２の前側上端とが連続するように導体圧着部２１及び被覆圧着部２２を連結する。導体圧着部２１及び被覆圧着部２２は、それぞれ導体露出部Ｗａｐの径や被覆Ｗｂの付いた部分の径に応じたサイズに形成されている。
【００１９】
これら導体圧着部２１及び被覆圧着部２２は、共通の底板部２５と、該共通の底板部２５の左右両側縁から上方に立設し、且つ電線Ｗの導体露出部Ｗａｐ及び被覆Ｗｂの付いた部分を包み込むように内側に曲げられることで導体露出部Ｗａｐ及び被覆Ｗｂの付いた部分を底板部２５の上面に密着した状態で加締める左右一対の共通の加締片２６、２７と、を有する。導体圧着部２１、被覆圧着部２２及び繋ぎ部２３は、導体圧着部２１の前端から被覆圧着部２２の後端まで連続して有する断面Ｕ字状に形成されている。また、電線接続部２０は、電線Ｗの端末部に圧着された状態で、導体露出部Ｗａｐの前端Ｗａｐ１よりも前方側から、被覆Ｗｂの付いた部分の前端Ｗｂ１よりも後方側までを、連続して一体的に覆うような長さに構成されている。
【００２０】
そして、圧着端子１０の電線Ｗに対する接続構造は、次の手順で実現される。
まず、図１及び図２に示すように、圧着端子１０の断面Ｕ字状に形成された電線接続部２０の内面に、導体露出部Ｗａｐに対応する位置に開口部３４を有した止水シート３０を配置する。
【００２１】
即ち、この止水シート３０は、開口部３４の位置に応じて図１のようにコ字状あるいはロ字状（図示略）に形成されている。止水シート３０は、開口部３４よりも前側の位置に電線接続部２０の幅方向に延在する前側シート部３１を有し、開口部３４よりも後側の位置に電線接続部２０の幅方向に延在する後側シート部３３を有している。さらに、止水シート３０は、開口部３４の側方の位置に前側シート部３１と後側シート部３３を繋ぐ側方シート部３２を有している。
【００２２】
また、この止水シート３０は、電線接続部２０を電線Ｗの端末部に対して圧着した際に、電線接続部２０の前端２０ａと後端２０ｂとから止水シート３０の前端３０ａと後端３０ｂとが外部に突出するような長さに形成されている。具体的には、止水シート３０は、前側シート部３１の前端３０ａが導体圧着部２１の前端２０ａよりも前側に位置し、後側シート部３３の後端３０ｂが被覆圧着部２２の後端２０ｂよりも後側に位置する長さに形成されている。
本第１実施形態に係る止水シート３０は、後述する第３実施形態に係る止水シート４０（図７参照）と同様に、基材シートの両面に接着層が設けられた両面粘着シートである。そして、使用前の止水シート３０の各接着層には、剥離層を介して剥離シートが設けられている。
そこで、止水シート３０は、該止水シート３０の一方の面における剥離シートを剥がして露出させた接着層によって、電線接続部２０の内面に貼り付けられる。
【００２３】
止水シート３０を電線接続部２０の内面に配置したら、該止水シート３０の他方の面における剥離シートを剥がして接着層を露出させ、次に皮むき（被覆Ｗｂを所定長さ剥離）した電線Ｗの端末部を電線接続部２０の底板部２５の上面に配置する。その際、図３に示すように、導体露出部Ｗａｐの前端Ｗａｐ１が止水シート３０の前端３０ａよりも寸法Ｈだけ後側に位置し、且つ、被覆の付いた部分の前端Ｗｂ１が、止水シート３０の後端３０ｂよりも前側で且つ電線接続部２０の後端２０ｂよりも前側に位置するように、電線Ｗの端末部を電線接続部２０の底板部２５の上面に配置する。
【００２４】
そしてその状態で、図４に示すように、電線接続部２０を電線Ｗの端末部に対して圧着する。つまり、左右の加締片２６、２７を電線Ｗの端末部を包み込むように順番に内側に曲げて加締め、一方の加締片２６の端部の上に他方の加締片２７の端部を重ねる。
【００２５】
このように加締めることで、止水シート３０に形成された開口部３４を通して、圧着端子１０の導体圧着部２１と電線Ｗの導体露出部Ｗａｐとが電気的に接続されると共に、導体圧着部２１と導体露出部Ｗａｐとの接続部分の前後が止水シート３０によって塞がれる。またその状態で、電線接続部２０の前端２０ａと後端２０ｂとから、止水シート３０の前端３０ａと後端３０ｂとが外部に突出した状態になり、本発明の第１実施形態の接続構造が完成する。
【００２６】
以上説明したように、本発明の第１実施形態の圧着端子１０の電線Ｗに対する接続構造によれば、電線Ｗの導体露出部Ｗａｐが止水シート３０の開口部３４を通して圧着端子１０の導体圧着部２１に電気的に接続されている部分の前後を、止水シート３０で完全に塞ぐことができる。このため、圧着端子１０と電線Ｗの電気的な接続性能を確保しながら、確実な止水性能を確保することができる。
これにより、圧着端子１０が電線Ｗの導体Ｗａに対して異種金属で構成された場合にも、異種金属間に電解液が供給されなくなる。そこで、銅や銅合金製の導体圧着部２１に圧着したアルミニウムやアルミニウム合金製の導体Ｗａに生じようとするガルバニック腐食が抑制される。
【００２７】
また、電線接続部２０の一対の加締片２６、２７を、電線Ｗの端末部を包み込むように内側に丸めて加締めるだけで、同時に丸められて圧縮された止水シート３０の前端部によって導体露出部Ｗａｐの前方を塞ぐことができるので、加締め工程後に更に、導体露出部Ｗａｐの前方に生じる開口を塞ぐための潰し工程を追加する必要がない。よって、その工程が無くなる分、工数や加工費の削減が図れる。
【００２８】
また、電線Ｗに圧着した後の状態において、電線接続部２０の前端２０ａと後端２０ｂとから止水シート３０の前端３０ａと後端３０ｂがはみ出すので、止水シート３０の組み付けの有無や組み付け状態の異常などを外から見て即座に確認することができる。従って、止水性能の保証の判断を容易に下すことができる。
【００２９】
また、止水シート３０を、接着層によって電線接続部２０の内面に貼り付けているので、圧着時に止水シート３０がずれるおそれがなく、止水信頼性を高めることができる。
また、止水シート３０の電線Ｗに接する面にも接着層を設けたので、圧着時に電線Ｗがずれるおそれをなくすことができ、圧着品質の向上を図ることができる。
さらに詳しくは、止水シート３０の一方の面に接着層を設けてその一方の面と電線接続部２０の内面とを貼り付けるとともに、止水シート３０の他方の面にも接着層を設けてその他方の面と電線Ｗの被覆Ｗｂと接着することにより、次の効果を奏する。
電線Ｗの端末部に圧着端子１０が圧着される前の状況において、止水シート３０の一方の面の接着層によって電線接続部２０に対して配置された止水シート３０が移動し難くなり、止水シート３０の他方の面の接着層によって止水シート３０に対して配置された電線Ｗが移動し難くなる。このように電線接続部２０、止水シート３０及び電線Ｗの配置位置が安定的に固定されていることにより、これらの部材の位置ずれに伴う圧着時の接続不良を防ぐことができる。
また、高温環境下では、電線Ｗが長手方向に伸長して該電線Ｗの断面が細くなることが起き得る。止水シートに接着層が設けられていない場合には、該電線の断面が細くなることによって、止水シートと被覆との間に隙間が形成される虞がある。しかし、止水シート３０の両面に接着層が設けられている場合には、圧着端子１０が圧着された電線Ｗの端末部において電線Ｗが細くなろうとしても、止水シート３０が電線Ｗの変形に追従して変形する。このため、電線接続部２０と止水シート３０との間及び止水シート３０と被覆Ｗｂとの間に隙間が形成されることを防ぐことができる。こうして、電線接続部２０と止水シート３０との間または止水シート３０と被覆Ｗｂとの間を通して圧着端子１０の内部に水が浸入することが防がれるため、止水性能の向上が図られる。
また、圧着端子１０は、加締められた電線接続部２０の加締片２６、２７が時間の経過とともに加締片２６、２７の保持力が弱まる向きに僅かながら開くことが起き得る。止水シートに接着層が設けられていない場合には、加締片が開くことによって、電線接続部と止水シートとの間に隙間が形成される虞がある。しかし、止水シート３０の両面に接着層が設けられている場合には、加締められた電線接続部２０の加締片２６、２７が開こうとしても、被覆Ｗｂに接合された止水シート３０が加締片２６、２７の変形に抗する応力を加締片２６、２７に与える。このため、電線接続部２０と止水シート３０との間及び止水シート３０と被覆Ｗｂとの間に隙間が形成されることを防ぐことができる。こうして、電線接続部２０と止水シート３０との間または止水シート３０と被覆Ｗｂとの間を通して圧着端子１０の内部に水が浸入することが防がれるため、止水性能の向上が図られる。
尚、本発明は、止水シート３０の両面に接着層を設けるものに限られない。止水シート３０の上述した一方の面及び他方の面のいずれか１つに接着層を設けるものであってもよい。止水シート３０のいずれか１つの面に接着層を設ける構成であっても、圧着時の接続不良の防止、及び止水性能の向上という効果を奏する。更に、上述した止水シート３０のように基材シートに接着層を設けた粘着シートに限らず、ブチルシートや、基材シートの一方の面に接着剤が塗布された止水シートを電線接続部２０の内面に貼り付けることもできる。
【００３０】
なお、本発明は、上述した第１実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３１】
図５は、本発明の第２実施形態の圧着端子の電線に対する接続構造を説明する説明図であって、圧着端子の電線接続部に止水シートの上から電線の端末部を配置する様子を示す斜視図である。
なお、本第２実施形態の圧着端子１０Ａの電線Ｗに対する接続構造は、上述した第１実施形態に係る止水シート３０に代えて止水シート３０Ａを用いたものであるので、その他の構成部材については同符号を付して詳細な説明を省略する。
【００３２】
本第２実施形態に係る止水シート３０Ａは、第１実施形態に係る止水シート３０と同様にコ字状に形成されている。
止水シート３０Ａは、開口部３４よりも前側の位置に電線接続部２０の幅方向に延在する前側シート部３１Ａを有し、開口部３４よりも後側の位置に電線接続部２０の幅方向に延在する後側シート部３３Ａを有し、開口部３４の側方の位置に前側シート部３１Ａと後側シート部３３Ａを繋ぐ側方シート部３２Ａを有している。この止水シート３０Ａは、第１実施形態に係る止水シート３０よりも短い長さ（端子の軸方向長さ）で形成されている。
【００３３】
即ち、本第２実施形態に係る止水シート３０Ａは、図５に示すように、電線接続部２０の内面に配置された際に、電線接続部２０の前端２０ａと後端２０ｂとから止水シート３０Ａの前端３０ａと後端３０ｂとが外部に突出しない長さに形成されている。具体的には、止水シート３０Ａは、図５に示すように、電線接続部２０の内面に配置された際に、前側シート部３１Ａの前端３０ａが導体圧着部２１の前端２０ａよりも後側に位置し、後側シート部３３Ａの後端３０ｂが被覆圧着部２２の後端２０ｂよりも前側に位置する長さに形成されている。
【００３４】
本第２実施形態に係る止水シート３０Ａは、後述する第３実施形態に係る止水シート４０（図７参照）と同様に、基材シートの両面に接着層が設けられた両面粘着シートである。そして、使用前の止水シート３０Ａの各接着層には、剥離層を介して剥離シートが設けられている。
そこで、止水シート３０Ａは、該止水シート３０Ａの一方の面における剥離シートを剥がして露出させた接着層によって、電線接続部２０の内面に貼り付けられる。
【００３５】
止水シート３０Ａを電線接続部２０の内面に配置したら、該止水シート３０Ａの他方の面における剥離シートを剥がして接着層を露出させ、次に皮むきした電線Ｗの端末部を電線接続部２０の底板部２５の上面に配置する。
そしてその状態で、電線接続部２０を電線Ｗの端末部に対して圧着する。つまり、図示しない圧着装置によって左右の加締片２６、２７を電線Ｗの端末部を包み込むように順番に内側に曲げて加締め、一方の加締片２６の端部の上に他方の加締片２７の端部を重ねる。
【００３６】
このように加締めることで、止水シート３０Ａに形成された開口部３４を通して、圧着端子１０Ａの導体圧着部２１と電線Ｗの導体露出部Ｗａｐとが電気的に接続されると共に、導体圧着部２１と導体露出部Ｗａｐとの接続部分の前後が止水シート３０Ａによって塞がれる。またその状態では、電線接続部２０の前端２０ａと後端２０ｂとから、止水シート３０Ａの前端３０ａと後端３０ｂとが外部に突出した状態になり、本発明の第２実施形態の接続構造が完成する。
【００３７】
更に、本第２実施形態に係る止水シート３０Ａは、電線接続部２０の内面に配置された際に、電線接続部２０の前端２０ａと後端２０ｂとから止水シート３０Ａの前端３０ａと後端３０ｂとが外部に突出しない長さに形成されている。そして、圧着装置のアンビル及びクリンパによって電線接続部２０の加締片２６、２７を電線Ｗの端末部を包み込むように順番に内側に曲げて加締められた後の状態では、上記第１実施形態に係る止水シート３０と同様に、電線接続部２０の前端２０ａと後端２０ｂとから止水シート３０の前端３０ａと後端３０ｂとが外部に突出した状態になり、丸められて圧縮された止水シート３０Ａの前端部によって導体露出部Ｗａｐの前方を塞ぐことができる。
従って、止水シート３０Ａは、電線Ｗに圧着した後の状態において、電線接続部２０の前端２０ａと後端２０ｂとから前端３０ａと後端３０ｂがはみ出すことができれば、電線接続部２０の内面に配置された状態では、電線接続部２０の前端２０ａと後端２０ｂとから止水シート３０Ａの前端３０ａと後端３０ｂがはみ出さない大きさとすることができ、止水シート３０よりも小さくできる。その結果、止水シート３０Ａを形成する際の歩留まりを高めることができる。
【００３８】
図６は、本発明の第３実施形態の圧着端子の電線に対する接続構造を説明する説明図であって、圧着端子の電線接続部に止水シートを配置する様子を示す斜視図である。図７は、図６に示した止水シートの構造を説明する断面図であって、（ａ）は止水シートの概略断面図、（ｂ）は（ａ）のＡ部における拡大断面図、（ｃ）は（ｂ）における下側の剥離シートを剥がした状態を示す拡大断面図である。図８は、本発明の第３実施形態の圧着端子の電線に対する接続構造を説明する説明図であって、圧着端子の電線接続部に止水シートの上から電線の端末部を配置する様子を示す平面図である。
なお、本第３実施形態の圧着端子１０Ｂの電線Ｗに対する接続構造は、上述した第２実施形態に係る止水シート３０Ａに代えて止水シート４０を用いたものであるので、その他の構成部材については同符号を付して詳細な説明を省略する。
【００３９】
本第３実施形態に係る止水シート４０は、図６に示すように、第２実施形態に係る止水シート３０Ａと同様にコ字状に形成されている。
止水シート４０は、開口部４４よりも前側の位置に電線接続部２０Ａの幅方向に延在する前側シート部４１を有し、開口部４４よりも後側の位置に電線接続部２０Ａの幅方向に延在する後側シート部４３を有し、開口部４４の側方の位置に前側シート部４１と後側シート部４３を繋ぐ側方シート部４２を有している。更に、止水シート４０の前端４０ａには、略矩形状の膨出部４５が突出して形成されている。
【００４０】
即ち、本第３実施形態に係る止水シート４０は、電線接続部２０Ａの内面に配置された際に、電線接続部２０Ａより前方の底板部２５Ａ上に前側シート部４１の膨出部４５が突出するように形成されている。具体的には、止水シート４０は、図８に示すように、電線接続部２０Ａの内面に配置された際に、前端４０ａに突出して形成された膨出部４５が前側シート部４１の幅（端子の長手方向の幅）を部分的に広げるように形成されている。
【００４１】
本第３実施形態に係る止水シート４０は、図７の（ａ），（ｂ）に示すように、基材シート５２の両面に接着層５４が設けられた両面粘着シート５１である。そして、使用前の止水シート４０の各接着層５４には、剥離層５６を介して剥離シート５８，６０が設けられている。
そこで、止水シート４０は、図７の（ｃ）に示すように、該止水シート４０の一方の面における剥離シート６０を剥がして露出させた接着層５４によって、電線接続部２０の内面に貼り付けられる。本実施形態の両面粘着シート５１は、図６に示したように、長尺の剥離シート５８，６０の間に複数の止水シート４０が配置されており、止水シート４０を連続して各圧着端子１０Ｂの電線接続部２０Ａの内面に貼り付けることができる。
【００４２】
止水シート４０を電線接続部２０Ａの内面に配置したら、押圧治具７０の押圧部７２により止水シート４０を上方から押圧し、電線接続部２０Ａの内面に馴染ませながら接着層５４を接着する。その後、止水シート４０の他方の面における剥離シート５８を剥がして接着層５４を露出させ、次に皮むきした電線Ｗの端末部を電線接続部２０Ａの底板部２５Ａの上面に配置する。
そしてその状態で、電線接続部２０Ａを電線Ｗの端末部に対して圧着する。つまり、図示しない圧着装置によって左右の加締片２６Ａ、２７Ａを電線Ｗの端末部を包み込むように順番に内側に曲げて加締め、一方の加締片２６Ａの端部の上に他方の加締片２７Ａの端部を重ねる。
【００４３】
このように加締めることで、止水シート４０に形成された開口部４４を通して、圧着端子１０Ｂの導体圧着部２１Ａと電線Ｗの導体露出部Ｗａｐとが電気的に接続されると共に、導体圧着部２１Ａと導体露出部Ｗａｐとの接続部分の前後が止水シート４０によって塞がれる。またその状態で、電線接続部２０Ａの前端２０ａと後端２０ｂとから、止水シート４０の前端４０ａと後端４０ｂとが外部に突出した状態になり、本発明の第３実施形態の接続構造が完成する。
【００４４】
更に、本第３実施形態に係る止水シート４０は、圧着時に圧着装置のクリンパと干渉することがない止水シート４０の前端４０ａに膨出部４５を突出して設けることで、電気的性能を維持するために開口部４４が必要とする開口面積を確保しつつ、止水シート４０の接着面積（特に、前側シート部４１の接着面積）を増大させることができる。
従って、開口部４４の開口面積を拡大すると共に止水シート４０の接着面積を増大することで、圧着端子１０Ｂの電気的性能を向上させると共に止水シート４０の固着力を増大させることができる。
従って、本第３実施形態に係る止水シート４０は、膨出部４５を有しない上記第２実施形態に係る止水シート３０Ａの前側シート部３１Ａよりも接着面積が増大している。そこで、シート加工時に止水シート４０を打ち抜いた残り部分を剥がす際に、特に後側シート部４３よりも接着面積が小さい前側シート部４１が残り部分と一緒に剥がれてしまうことを防止できる。
また、止水シート４０の一方の面における剥離シート６０を剥がして露出させた接着層５４を電線接続部２０の内面に貼り付け、剥離シート５８を剥がす際に、前側シート部４１が剥離シート５８と一緒に剥がれてしまうことも防止できる。
【００４５】
ここで、上述した本発明に係る圧着端子の電線に対する接続構造の実施形態の特徴をそれぞれ以下［１］〜［３］に簡潔に纏めて列記する。
［１］  導体（Ｗａ）と、前記導体（Ｗａ）を覆う被覆（Ｗｂ）と、を有する電線（Ｗ）と、
相手側端子に電気的に接続されるための電気接続部（１１）が前部に形成され、前記電線（Ｗ）の端末部に圧着される電線接続部（２０）が後部に形成された圧着端子（１０）と、
を備え、
前記電線接続部（２０）は、前記電線（Ｗ）の端末部の被覆（Ｗｂ）が除去されて導体（Ｗａ）が露出した導体露出部（Ｗａｐ）に圧着される導体圧着部（２１）と、前記電線（Ｗ）の端末部に残された被覆（Ｗｂ）の一部に圧着される被覆圧着部（２２）と、を有し、前記導体圧着部（２１）が前側に、前記被覆圧着部（２２）が後側に形成され、該導体圧着部（２１）の前端から該被覆圧着部（２２）の後端まで連続する断面Ｕ字状に形成され、
前記電線（Ｗ）の端末部に圧着された状態の電線接続部（２０）が、前記導体露出部（Ｗａｐ）の前端（Ｗａｐ１）よりも前方側から前記被覆（Ｗｂ）の一部の前端（Ｗｂ１）よりも後方側までを覆う、
前記圧着端子（１０）の前記電線（Ｗ）に対する接続構造であって、
前記電線接続部（２０）の内面に配置された、前記導体露出部（Ｗａｐ）に対応する位置に開口部（３４）を有する止水シート（３０）をさらに備え、
前記止水シート（３０）は、該止水シート（３０）の前端（３０ａ）が前記導体圧着部（２１）の前端（２０ａ）よりも前側に位置し、該止水シート（３０）の後端（３０ｂ）が前記被覆圧着部（２２）の後端（２０ｂ）よりも後側に位置し、
前記電線（Ｗ）の端末部に圧着された状態の前記電線接続部（２０）は、前記止水シート（３０）に形成された前記開口部（３４）を通して、前記導体圧着部（２１）と前記導体露出部（Ｗａｐ）とが電気的に接続されると共に、前記導体圧着部（２１）と前記導体露出部（Ｗａｐ）との接続部分の前後が前記止水シート（３０）によって塞がれることを特徴とする圧着端子（１０）の電線（Ｗ）に対する接続構造。
［２］  前記止水シート（３０）が、基材シート（５２）の表面に設けられた接着層（５４）によって電線接続部（２０）の内面に貼り付けられていることを特徴とする［１］に記載の圧着端子（１０）の電線（Ｗ）に対する接続構造。
［３］  前記止水シート（３０）における前記電線（Ｗ）に接する面には、接着層（５４）が設けられていることを特徴とする［１］または［２］に記載の圧着端子（１０）の電線（Ｗ）に対する接続構造。
【符号の説明】
【００４６】
１０  圧着端子
１１  電気接続部
２０  電線接続部
２０ａ  前端
２０ｂ  後端
２１  導体圧着部
２２  被覆圧着部
２５  底板部
２６，２７  加締片
３０  止水シート
３０ａ  前端
３０ｂ  後端
３４  開口部
Ｗ  電線
Ｗａ  導体
Ｗａｐ  導体露出部
Ｗｂ  被覆
【図１】
2015065148.tif 000003
【図２】
2015065148.tif 000004
【図３】
2015065148.tif 000005
【図４】
2015065148.tif 000006
【図５】
2015065148.tif 000007
【図６】
2015065148.tif 000008
【図７】
2015065148.tif 000009
【図８】
2015065148.tif 000010
【図９】
2015065148.tif 000011
【図１０】
2015065148.tif 000012
【図１１】
2015065148.tif 000013